(57)【特許請求の範囲】
【請求項１】
室内側排気口と室内側給気口および室外側排気口と室外側給気口を設け、壁面に取り付けられる箱状の本体と、この本体内に前記室内側排気口と前記室外側排気口を排気用ファンを介し連通するように設けられる排気通風路および、前記室外側給気口と前記室内側給気口を給気用ファンを介し連通するように設けられる給気通風路と、前記排気通風路と前記給気通風路の交差部に設けられる熱交換器と、前記本体の底部に形成される排水口と、前記本体の下部に着脱自在に設けられる周壁の端部に内側に向かい下降する下降面を設けた露受皿とを備え、前記露受皿に対向する前記本体の下面外周を円弧面により形成し、前記露受皿の底部に設けられる挿入孔を有した取付部と、この取付部に対向し前記本体の底部に設けられる取付孔と、前記取付孔の外方に、前記取付孔内に前記本体内の結露水が侵入しないように遮へいする遮へい壁を設け、前記露受皿の前記挿入孔と前記取付孔に挿入され、回動することにより、前記露受皿を本体に着脱自在に取り付ける取付具とを設け、前記本体の背面と前記壁面の間にその下端が前記露受皿に配設されるシートを設けた熱交換形換気扇であって、前記本体から露出する前記シートの長さを前記露受皿の高さ寸法以上に長く形成し、前記シートの端部が前記露受皿内に入っているかいないかが目視で確認することができる構成とした熱交換形換気扇。
【請求項２】
露受皿の背面側壁部に複数の凸部を設け、前記凸部をシートの接触部とした請求項１記載の熱交換形換気扇。
【請求項３】
露受皿の背面近傍の底部内側にシートの保持部を設け、前記シートの保持部の高さ位置を、露受皿の満水ラインより高く、露受皿の高さより低い位置に設けた請求項１、２のいずれかに記載の熱交換形換気扇。
【請求項４】
シートの接触部となる露受皿の内部底面を、背面に向かうにしたがい高さが高くなる傾斜面で形成し、前記シートの接触部の位置を露受皿の満水ラインより高く、露受皿の高さより低いところに設けた請求項１〜３のいずれかに記載の熱交換形換気扇。
【発明の詳細な説明】
【０００１】
【発明の属する技術分野】
本発明は、換気によって室外へ排出する室内空気の熱エネルギーを回収する熱交換形換気扇に関する。
【０００２】
【従来の技術】
近年、冷暖房負荷の軽減や防音性の向上を図るため熱交換形換気扇が普及している。そして、寒冷地においては、低温の外気を給気するので結露水が発生することとなり、結露水を受ける露受皿を設けたものが使用されている。
【０００３】
従来、この種の熱交換形換気扇として図１５に示されるものが知られていた。以下、その構成について図１５を参照しながら説明する。
【０００４】
図に示すように、室内側排気口１０１と室内側給気口１０２および室外側排気口１０３と室外側給気口１０４を設け、壁面１０５に取り付けられる箱状の本体１０６内に、室内側排気口１０１と室外側排気口１０３を排気用ファン１０７を介し連通するように設けられる排気通風路１０８および、室外側給気口１０４と室内側給気口１０２を給気用ファン１０９を介し連通するように設けられる給気通風路１１０を設け、排気通風路１０８と給気通風路１１０の交差部に熱交換器１１１を設け、本体１０６の底部には排水口１１２を設け、本体１０６の下方部には本体１０６に設けたＬ字状の支持部１１３に載置される露受皿１１４を設けていた。
【０００５】
【発明が解決しようとする課題】
このような従来の熱交換形換気扇では、寒冷地で使用した場合、本体１０６内および本体１０６の外面に結露水が発生し、本体１０６の背面と壁面１０５の間より滴下する結露水は、本体１０６の下方部に配設された露受皿１１４を支持する支持部１１３を伝って床面に滴下するとともに、支持部１１３が露受皿１１４と壁面１０５の間に存在するため、露受皿１１４を壁面１０５に接近させることができなくなり、本体１０６の背面を伝って下降する結露水を確実に露受皿１１４で受けることができなく、結露水が床面に滴下し、床面を汚損するという課題があった。
【０００６】
本発明は上記課題を解決するもので、本体背面と壁面間に発生した結露水が床面に滴下しないように受け止め、床面の汚損を防止できる熱交換形換気扇を提供することを目的とする。
【０００７】
【課題を解決するための手段】
本発明の熱交換形換気扇においては、室内側排気口と室内側給気口および室外側排気口と室外側給気口を設け、壁面に取り付けられる箱状の本体と、この本体内に前記室内側排気口と前記室外側排気口を排気用ファンを介し連通するように設けられる排気通風路および、前記室外側給気口と前記室内側給気口を給気用ファンを介し連通するように設けられる給気通風路と、前記排気通風路と前記給気通風路の交差部に設けられる熱交換器と、前記本体の底部に形成される排水口と、前記本体の下部に着脱自在に設けられる周壁の端部に内側に向かい下降する下降面を設けた露受皿とを備え、前記露受皿に対向する前記本体の下面外周を円弧面により形成し、前記露受皿の底部に設けられる挿入孔を有した取付部と、この取付部に対向し前記本体の底部に設けられる取付孔と、前記取付孔の外方に、前記取付孔内に前記本体内の結露水が侵入しないように遮へいする遮へい壁を設け、前記露受皿の前記挿入孔と前記取付孔に挿入され、回動することにより、前記露受皿を本体に着脱自在に取り付ける取付具とを設け、前記本体の背面と前記壁面の間にその下端が前記露受皿に配設されるシートを設けた熱交換形換気扇であって、前記本体から露出する前記シートの長さを前記露受皿の高さ寸法以上に長く形成し、前記シートの端部が前記露受皿内に入っているかいないかが目視で確認することができる構成としたものである。
【０００８】
この本発明によれば、確実にシートの端部を露受皿内に入れることが可能となり、結露水が床面等に落下するのを防止できる熱交換形換気扇を提供することができる。
【０００９】
【発明の実施の形態】
本発明の請求項１記載の発明は、室内側排気口と室内側給気口および室外側排気口と室外側給気口を設け、壁面に取り付けられる箱状の本体と、この本体内に前記室内側排気口と前記室外側排気口を排気用ファンを介し連通するように設けられる排気通風路および、前記室外側給気口と前記室内側給気口を給気用ファンを介し連通するように設けられる給気通風路と、前記排気通風路と前記給気通風路の交差部に設けられる熱交換器と、前記本体の底部に形成される排水口と、前記本体の下部に着脱自在に設けられる周壁の端部に内側に向かい下降する下降面を設けた露受皿とを備え、前記露受皿に対向する前記本体の下面外周を円弧面により形成し、前記露受皿の底部に設けられる挿入孔を有した取付部と、この取付部に対向し前記本体の底部に設けられる取付孔と、前記取付孔の外方に、前記取付孔内に前記本体内の結露水が侵入しないように遮へいする遮へい壁を設け、前記露受皿の前記挿入孔と前記取付孔に挿入され、回動することにより、前記露受皿を本体に着脱自在に取り付ける取付具とを設け、前記本体の背面と前記壁面の間にその下端が前記露受皿に配設されるシートを設けた熱交換形換気扇であって、前記本体から露出する前記シートの長さを前記露受皿の高さ寸法以上に長く形成し、前記シートの端部が前記露受皿内に入っているかいないかが目視で確認することができる構成としたものであり、本体から露出するシートの長さを露受皿の高さ寸法より長く形成したので、露受皿を本体に取り付ける場合において、シートを露受皿内に入れることができなかった場合には、シートが露受皿の下端から露出するため、シートが露受皿内に入っていないことが目視にて確認することができ、確実にシートの端部を露受皿内に入れることが可能となり、結露水が床面等に落下するのを防止できるという作用を有する。
【００１０】
以下、本発明の実施の形態について、図１〜図１４を参照しながら説明する。
【００１１】
（実施の形態１）
図１および図２に示すように、室内側排気口１と室内側給気口２および室外側排気口３と室外側給気口４を設け、壁面５に取り付けられる箱状の本体６内に、室内側排気口１と室外側排気口３を排気用ファン７を介し連通するように設けられる排気通風路８および、室外側給気口４と室内側給気口２を給気用ファン９を介し連通するように設けられる給気通風路１０と、排気通風路８と給気通風路１０の交差部に熱交換器１１を設け、本体６の底部に排水口１２を設け、本体６の下部に設けられる露受皿１３の底部に、上面に挿入孔１４を有し、露受皿１３の周壁の高さより高い円錐状の取付部１５を設け、取付部１５に対向する本体６の底部に長孔状の取付孔１６を設け、本体６の底部に設けた取付孔１６の長手方向に向けて挿入されるようにほぼＴ字状に形成した取付片１７ａと、この取付片１７ａの反対側に回動を容易にする円板部１７ｂを介しつまみ１７ｃを有した取付具１７を設け構成する。
【００１２】
上記構成において、本体６に露受皿１３を取り付けるときには、露受皿１３の取付部１５を本体６の取付孔１６に合致させ、取付具１７の取付片１７ａの長手方向と本体６の取付孔１６の長手方向を合わせて、取付具１７の取付片１７ａを露受皿１３の取付部１５に設けた挿入孔１４より挿入し、本体６の取付孔１６を貫通した位置で取付具１７を、つまみ１７ｃによりほぼ９０°回動し、取付具１７の取付片１７ａの長手方向を本体６の取付孔１６の長手方向と直交するようにして、露受皿１３を本体６に取り付ける。
【００１３】
また、寒冷地等で使用した場合には、低温の外気が給気される室外側給気口４近傍の本体６の背面側部分に結露水が発生するが、結露水は本体６の背面に沿い下降し、露受皿１３上に落下する。一方、本体６内で発生した結露水は本体６内を下降し、排水口１２より露受皿１３上に落下し、本体６の内外で発生した結露水は露受皿１３に回収されることとなる。
【００１４】
そして、露受皿１３に溜まった結露水は、露受皿１３を取り付けている取付具１７のつまみ１７ｃを回動し、取付具１７の取付片１７ａの長手方向を取付孔１６の長手方向に合致させることにより取付具１７が取り外され、露受皿１３を本体６より取り外して露受皿１３に溜まった結露水を捨てたのち、再度露受皿１３を本体６に取り付けて運転が行われる。
【００１５】
このように本発明の実施の形態１の熱交換形換気扇によれば、本体６の底部に排水口１２を設け、本体６の下部に設けられる露受皿１３の底部に挿入孔１４を有した取付部１５を設け、取付部１５に対向させて本体６の底部に取付孔１６を設け、露受皿１３の挿入孔１４と本体６の取付孔１６に挿入され回動することにより露受皿１３を本体６に着脱自在に取り付ける取付具１７を設けたので、露受皿１３は本体６に直接取り付けられることとなり、寒冷地で使用した場合においても、本体６の背面側に発生した結露水は、露受皿１３で受け止められ、結露水が床面に滴下して床面を汚損するのを防止できる。
【００１６】
（実施の形態２）
図３および図４に示すように、本体６Ａの底部に設けられた露受皿１３を取り付ける取付孔１６Ａの外方に、取付孔１６Ａ内に本体６Ａ内に溜まった結露水が侵入しないように取付孔１６Ａの外方を囲み遮へいする遮へい壁１８を設けた構成とする。
【００１７】
上記構成において、本体６Ａ内で発生した結露水は、下降して底部に設けた排水口１２より排水される。しかし、結露水が多いときには本体６Ａの底部に結露水が溜まるようになるが、取付孔１６Ａの周囲に設けた遮へい壁１８により、取付孔１６Ａ内に結露水が侵入するのが遮へいされる。
【００１８】
このように、本発明の実施の形態２の熱交換形換気扇によれば、本体６Ａの底部に設けられた露受皿１３を取り付ける取付孔１６Ａの外方に遮へい壁１８を設けたので、本体６Ａの底部に溜まった結露水が取付孔１６Ａ内に侵入するのが防止され、取付孔１６Ａにより取付具１７を介して結露水が床面に滴下するのを防止できる。
【００１９】
（実施の形態３）
図５に示すように、露受皿１３に対向する本体６Ｂの下面外周を円弧面１９により形成する。
【００２０】
上記構成において、本体６Ｂの外面に発生した結露水が下降し、本体６Ｂの下面外周に至ると、円弧面１９により案内されて露受皿１３の周壁より内側の方向に向かい滴下されることとなる。
【００２１】
このように本発明の実施の形態３の熱交換形換気扇によれば、本体６Ｂの下面外周を円弧面１９により形成したので、本体６Ｂの背面と壁面５の間に発生した結露水や、本体６Ｂの表面に発生した結露水は、本体６Ｂに設けた円弧面１９により案内され、結露水が確実に露受皿１３内に導かれ、結露水が床面等に滴下するのを防止することができる。
【００２２】
（実施の形態４）
図６に示すように、露受皿１３Ａの周壁１３ａの端部に、内側に向かい下降するように形成される下降面である傾斜面２０を設け構成する。
【００２３】
上記構成において、本体６の外面に発生した結露水は、下降し露受皿１３Ａに滴下される。また、露受皿１３Ａの周壁１３ａの端部に滴下される結露水があったとしても、露受皿１３Ａの周壁１３ａの端部には内側に向かい下降する傾斜面２０が設けられていることにより、結露水は露受皿１３Ａ内に導かれることとなる。
【００２４】
なお、傾斜面２０は、これに限定されるものでなく、円弧面のように内側に向かい下降する形状を有していればその作用効果に差異はない。
【００２５】
このように本発明の実施の形態４の熱交換形換気扇によれば、露受皿１３Ａの周壁１３ａの端部に、内側に向かい下降する傾斜面２０を設けたので、本体６の背面と壁面５の間に発生した結露水や、本体６の表面に発生した結露水の一部が、たとえ、露受皿１３Ａの端部に滴下しても、端部に形成した傾斜面２０により露受皿１３Ａ内に導かれ、結露水が床面等に滴下するのを防止できる。
【００２６】
（実施の形態５）
図７および図８に示すように、本体６Ｃの背面に、下端が露受皿１３に配設されるシート２１を設けた構成とする。
【００２７】
上記構成において、本体６Ｃの背面に発生した結露水は、シート２１を伝って下降し、シート２１により露受皿１３内に導かれる。
【００２８】
このように本発明の実施の形態５の熱交換形換気扇によれば、本体６Ｃの背面に、下端が露受皿１３内に配設されるシート２１を設けたので、本体６Ｃの背面に発生した結露水は、シート２１を伝って露受皿１３内に導かれることとなり、シート２１を設けていない場合と比較して、より確実に結露水が露受皿１３内に導かれ、結露水が床面等に落下するのを防止できる。
【００２９】
（実施の形態６）
図９に示すように、本体６Ｄの背面に設けられるシート２１Ａの、本体６Ｄの下部から下方に露出するシート部分を、露受皿１３内に向かうようにほぼくの字状に折り曲げる折曲部２２を形成した構成とする。
【００３０】
上記構成において、本体６Ｄの下方部に露受皿１３を取付具１７により取り付けるとき、露受皿１３を本体６Ｄの下方より上方に向かい移動させるとき、シート２１Ａの先端は露受皿１３内に確実に位置することとなり、露受皿１３をシート２１Ａに邪魔されることなく取り付けることができる。
【００３１】
このように本発明の実施の形態６の熱交換形換気扇によれば、本体６Ｄから露出するシート部分を、折曲部２２により露受皿１３内に向かうようにほぼくの字状に折り曲げているので、露受皿１３を本体６Ｄに取り付けるとき、シート２１Ａの先端部が確実に露受皿１３内に位置することとなり、露受皿１３の取り付けが容易になるとともに、結露水を確実に露受皿１３内に導くことができ、結露水が床面等に滴下するのが防止できる。
【００３２】
（実施の形態７）
図１０に示すように、本体６Ｅから露出するシート２１Ｂの長さを、露受皿１３の高さ寸法Ｈより長く形成した構成とする。
【００３３】
上記構成において、本体６Ｅに露受皿１３を取付具１７を介して取り付けるとき、シート２１Ｂの先端部が露受皿１３内に位置していないときには、露受皿１３の高さ寸法Ｈより長く形成したシート２１Ｂの端部近傍が露受皿１３の下端から露出することとなり、シート２１Ｂの端部が露受皿１３内に位置していないことが目視により確認することができることとなり、露受皿１３の取り付けを再度行いシート２１Ｂの端部が露受皿１３の下部に露出しないようにする。
【００３４】
このように本発明の実施の形態７の熱交換形換気扇によれば、本体６Ｅから露出するシート２１Ｂの長さを露受皿１３の高さ寸法Ｈより長く形成したので、露受皿１３を本体６Ｅに取り付ける場合において、シート２１Ｂを露受皿１３内に入れることができなかった場合には、シート２１Ｂが露受皿１３の下端から露出するため、シート２１Ｂが露受皿１３内に入っていないことが目視にて確認することができ、確実にシート２１Ｂの端部を露受皿１３内に入れることが可能となり、結露水が床面等に落下するのを防止できる。
【００３５】
（実施の形態８）
図１１および図１２に示すように、露受皿１３Ｂの背面側壁部２３に複数の凸部２４を設け、凸部２４をシート２１の接触部とした構成とする。
【００３６】
上記構成において、本体６Ｃから発生した結露水は、シート２１の前面側を伝って露受皿１３Ｂ内に導かれ、シート２１の壁面５側の結露水はシート２１の後面側を伝って露受皿１３Ｂ内に導かれる。このとき、シート２１の後面には露受皿１３Ｂに設けた凸部２４のみが点接触していることにより、結露水は、背面側壁部２３により邪魔されることなく、露受皿１３Ｂ内に導かれることとなる。
【００３７】
このように本発明の実施の形態８の熱交換形換気扇によれば、露受皿１３Ｂの背面側壁部２３に複数の凸部２４を設け、凸部２４のみがシート２１に後面側に接触するように設けたので、シート２１の壁面５側から伝わってきた結露水が、露受皿１３Ｂの外周壁により塞ぎ止められることなく、露受皿１３Ｂ内に導かれることが可能となり、結露水の床面への滴下防止がより確実となる。
【００３８】
（実施の形態９）
図１３に示すように、露受皿１３Ｃの背面近傍の底部内側にシート２１の保持部２５を設け、シート２１の保持部２５の高さ位置を露受皿１３Ｃの満水ラインＡより高く、露受皿１３Ｃの高さＢより低い位置に設けた構成とする。
【００３９】
上記構成において、本体６Ｃの背面側に発生した結露水は、シート２１を伝って露受皿１３Ｃ内に導かれる。このとき、露受皿１３Ｃ内のシート２１は、露受皿１３Ｃの満水ラインＡより高い位置に保持部２５により保持されているので、シート２１の端部は露受皿１３Ｃ内に溜まった結露水に浸されることがなくなる。
【００４０】
このように本発明の実施の形態９の熱交換形換気扇によれば、露受皿１３Ｃ内にシート２１の端部近傍を露受皿１３Ｃの満水ラインＡより高く、露受皿１３Ｃの高さＢより低い位置に保持する保持部２５を設けたので、シート２１は露受皿１３Ｃに溜まった結露水に浸されることがなくなり、露受皿１３Ｃを本体６Ｃより取り外したときに、シート２１から結露水が床面に滴下することがなくなる。
【００４１】
（実施の形態１０）
図１４に示すように、シート２１Ｂの接触部２６となる露受皿１３Ｄの内部底面を、背面側に向かうにしたがい高さが高くなる傾斜面２７で形成し、シート２１Ｂの接触部２６の位置を、露受皿１３Ｄの満水ラインＡより高く、露受皿１３Ｄの高さＢより低いところに設けた構成とする。
【００４２】
上記構成において、本体６Ｃの背面側に発生した結露水は、シート２１Ｂを伝って露受皿１３Ｄ内に導かれる。このとき、露受皿１３Ｄ内のシート２１Ｂの端部は、露受皿１３Ｄの満水ラインＡより高い位置となる接触部２６により保持されているので、シート２１Ｂの端部は露受皿１３Ｄ内に溜まった結露水に浸されることがなくなる。
【００４３】
このように本発明の実施の形態１０の熱交換形換気扇によれば、露受皿１３Ｄ内の内部底面を背面側に向かうにしたがい高さが高くなる傾斜面２７で形成し、シート２１Ｂの接触部２６を満水ラインＡより高い位置としたので、シート２１Ｂは露受皿１３Ｄに溜まった結露水に浸されることがなくなり、露受皿１３Ｄを本体６より取り外したときに、シート２１Ｂから結露水が床面に滴下することがなくなる。
【００５０】
【発明の効果】
以上の実施の形態から明らかなように、本発明によれば室内側排気口と室内側給気口および室外側排気口と室外側給気口を設け、壁面に取り付けられる箱状の本体と、この本体内に前記室内側排気口と前記室外側排気口を排気用ファンを介し連通するように設ける排気通風路および、前記室外側給気口と前記室内側給気口を給気用ファンを介し連通するように設けられる給気通風路と、前記排気通風路と前記給気通風路の交差部に設けられる熱交換器と、前記本体の底部に形成される排水口と、前記本体の下部に着脱自在に設けられる周壁の端部に内側に向かい下降する下降面を設けた露受皿とを備え、前記露受皿に対向する前記本体の下面外周を円弧面により形成し、前記露受皿の底部に設けられる挿入孔を有した取付部と、この取付部に対向し前記本体の底部に設けられる取付孔と、前記取付孔の外方に、前記取付孔内に前記本体内の結露水が侵入しないように遮へいする遮へい壁を設け、前記露受皿の前記挿入孔と前記取付孔に挿入され回動することにより、前記露受皿を本体に着脱自在に取り付ける取付具とを設け、前記本体の背面と前記壁面の間にその下端が前記露受皿に配設されるシートを設けた熱交換形換気扇であって、前記本体から露出する前記シートの長さを、前記露受皿の高さ寸法以上に長く形成したので、シートの端部が露受皿内に入っているかいないかが目視で確認することができる。
【００５１】
また、露受皿の背面側壁部に複数の凸部を設け、前記凸部をシートの接触部としたので、シートの壁面側の結露水をより確実に露受皿内に導くことができる。
【００５２】
また、露受皿の背面近傍の底部内側にシートの保持部を設け、シートの保持部の高さ位置を、露受皿の満水ラインより高く、露受皿の高さより低い位置に設けたので、シートは露受皿に溜まった結露水に浸されることがなくなり、露受皿を取り外したときに、シートから結露水が滴下するのを防止できる。
【００５３】
また、シートの接触部となる露受皿の内部底面を、背面に向かうにしたがい高さが高くなる傾斜面で形成し、前記シートの接触部の位置を露受皿の満水ラインより高く、露受皿の高さより低いところに設けたので、シートは露受皿に溜まった結露水に浸されることがなくなり、露受皿を取り外したときにシートから結露水が滴下し、床面を汚損するのを防止できる。
【図面の簡単な説明】
【図１】本発明の実施の形態１の熱交換形換気扇の設置状態を示す断面図
【図２】同熱交換形換気扇の分解斜視図
【図３】本発明の実施の形態２の熱交換形換気扇の設置状態を示す断面図
【図４】同熱交換形換気扇の分解斜視図
【図５】本発明の実施の形態３の熱交換形換気扇の設置状態を示す断面図
【図６】本発明の実施の形態４の熱交換形換気扇の設置状態を示す断面図
【図７】本発明の実施の形態５の熱交換形換気扇の設置状態を示す断面図
【図８】同熱交換形換気扇の分解斜視図
【図９】本発明の実施の形態６の熱交換形換気扇の設置状態を示す断面図
【図１０】本発明の実施の形態７の熱交換形換気扇の設置状態を示す断面図
【図１１】本発明の実施の形態８の熱交換形換気扇の設置状態を示す断面図
【図１２】同熱交換形換気扇の露受皿の構成を示す斜視図
【図１３】本発明の実施の形態９の熱交換形換気扇の設置状態を示す断面図
【図１４】本発明の実施の形態１０の熱交換形換気扇の設置状態を示す断面図
【図１５】従来の熱交換形換気扇の設置状態を示す断面図
【符号の説明】
１      室内側排気口
２      室内側給気口
３      室外側排気口
４      室外側給気口
５      壁面
６      本体
６Ａ    本体
６Ｂ    本体
６Ｃ    本体
６Ｄ    本体
６Ｅ    本体
７      排気用ファン
８      排気通風路
９      給気用ファン
１０    給気通風路
１１    熱交換器
１２    排水口
１３    露受皿
１３Ａ  露受皿
１３Ｂ  露受皿
１３Ｃ  露受皿
１３Ｄ  露受皿
１３ａ  周壁
１４    挿入孔
１５    取付部
１６    取付孔
１６Ａ  取付孔
１７    取付具
１８    遮へい壁
１９    円弧面
２０    傾斜面
２１    シート
２１Ａ  シート
２１Ｂ  シート
２３    背面側壁部
２４    凸部
２５    保持部
２６    接触部
２７    傾斜面
【図１】
0003786800.tif 000002
【図２】
0003786800.tif 000003
【図３】
0003786800.tif 000004
【図４】
0003786800.tif 000005
【図５】
0003786800.tif 000006
【図６】
0003786800.tif 000007
【図７】
0003786800.tif 000008
【図８】
0003786800.tif 000009
【図９】
0003786800.tif 000010
【図１０】
0003786800.tif 000011
【図１１】
0003786800.tif 000012
【図１２】
0003786800.tif 000013
【図１３】
0003786800.tif 000014
【図１４】
0003786800.tif 000015
【図１５】
0003786800.tif 000016